【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
レンズユニットの焦点調節状態を検出する焦点検出手段と、
前記レンズユニットの色収差に関する情報を取得する第１の取得手段と、
被写体の分光特性に関する情報を取得する第２の取得手段と、
前記第１及び第２の取得手段により取得した情報に応じて、前記焦点検出手段により検出した焦点調節状態の情報を補正する補正手段とを備え、
前記色収差に関する情報は、前記焦点検出手段により焦点調節状態を検出して合焦位置を取得する際の前記レンズユニットのレンズ位置に対応する前記レンズユニットから送信された情報であることを特徴とする焦点調節装置。
【請求項２】
前記焦点検出手段は、前記レンズユニットを透過した光束を２系統に分割し、各光束により形成される２つの画像間の位相差に基づいて前記焦点調節状態を検出することを特徴とする請求項１に記載の焦点調節装置。
【請求項３】
前記レンズユニットのレンズ位置に対応する情報とは、焦点距離及び被写体距離に基づく情報であることを特徴とする請求項１又は２に記載の焦点調節装置。
【請求項４】
前記レンズユニットを透過した光束の内、主に可視光領域を測光する第１の測光手段と、
前記レンズユニットを透過した光束の内、主に可視光より長波長領域を測光する第２の測光手段とを有し、
前記補正手段は、前記第１と第２の測光手段の出力に応じて、前記焦点検出手段により検出した焦点調節状態の情報を補正することを特徴とする請求項１乃至３のいずれか１項に記載の焦点調節装置。
【請求項５】
複数種類のレンズユニットを着脱可能であって、請求項１乃至４のいずれか１項に記載の焦点調節装置を有することを特徴とするカメラ本体。
【請求項６】
前記レンズユニットのレンズ位置に対応する情報とは、前記レンズユニットの種類及び前記レンズユニットに含まれるフォーカシングレンズの位置に基づく情報であることを特徴とする請求項５に記載のカメラ本体。
【請求項７】
請求項５または６に記載の焦点調節装置を有するカメラ本体と、当該カメラ本体に着脱可能なレンズユニットとからなることを特徴とする撮像システム。
【請求項８】
装着されたレンズユニットの種類及びフォーカシングレンズの位置を取得するレンズ状態取得手段と、
レンズユニットの種類毎に、色収差に関する情報を記憶する記憶手段とを更に有し、
前記レンズユニットのレンズ位置に対応する情報とは、前記レンズ状態取得手段により取得した前記レンズユニットの種類及びフォーカシングレンズの位置に基づいて、前記記憶手段から取得された色収差に関する情報であることを特徴とする請求項７に記載の撮像システム。
【請求項９】
色収差に関する情報及び被写体の分光特性に関する情報に応じて、検出した焦点調節状態の情報を補正するカメラ本体に装着して使用されるレンズユニットであって、
レンズユニットのレンズ位置に対応する色収差に関する情報を記憶する記憶手段と、
前記装着したカメラ本体に対して、前記レンズユニットの焦点調節状態を検出して合焦位置を取得する際の前記レンズユニットのレンズ位置に対応する前記色収差に関する情報を送信する送信手段と
を有することを特徴とするレンズユニット。
【請求項１０】
レンズユニットの焦点調節状態を検出する焦点検出手段と、
前記レンズユニットの色収差に関する情報を取得する第１の取得手段と、
被写体の分光特性に関する情報を取得する第２の取得手段と、
前記第１及び第２の取得手段により取得した情報に応じて、前記焦点検出手段により検出した焦点調節状態の情報を補正する補正手段とを備え、
前記色収差に関する情報は、前記レンズユニットのレンズ位置に応じて変化する情報であることを特徴とする焦点調節装置。
【請求項１１】
複数種類のレンズユニットを着脱可能であって、請求項１０に記載の焦点調節装置を有することを特徴とするカメラ本体。
【請求項１２】
色収差に関する情報、および被写体の分光特性に関する情報に応じて、検出した焦点調節状態の情報を補正するカメラ本体に装着して使用されるレンズユニットであって、
該レンズユニットのレンズ位置に対応する色収差に応じて変化する情報を記憶する記憶手段と、
前記装着したカメラ本体に対して、前記レンズユニットのレンズ位置に応じて変化する前記色収差に関する情報を送信する送信手段と
を有することを特徴とするレンズユニット。
【手続補正２】
【補正対象書類名】明細書
【補正対象項目名】発明の名称
【補正方法】変更
【補正の内容】
【発明の名称】焦点調節装置、カメラ本体、撮像システム及びレンズユニット
【手続補正３】
【補正対象書類名】明細書
【補正対象項目名】００１８
【補正方法】変更
【補正の内容】
【００１８】
上記目的を達成するために、本発明の焦点調節装置は、レンズユニットの焦点調節状態を検出する焦点検出手段と、前記レンズユニットの色収差に関する情報を取得する第１の取得手段と、被写体の分光特性に関する情報を取得する第２の取得手段と、前記第１及び第２の取得手段により取得した情報に応じて、前記焦点検出手段により検出した焦点調節状態の情報を補正する補正手段とを備え、前記色収差に関する情報は、前記焦点検出手段により焦点調節状態を検出して合焦位置を取得する際の前記レンズユニットのレンズ位置に対応する前記レンズユニットから送信された情報である。
【手続補正４】
【補正対象書類名】明細書
【補正対象項目名】００１９
【補正方法】変更
【補正の内容】
【００１９】
また、本発明のカメラ本体は、複数種類のレンズユニットを着脱可能であって、上記焦点調節装置を有する。
【手続補正５】
【補正対象書類名】明細書
【補正対象項目名】００２０
【補正方法】変更
【補正の内容】
【００２０】
更に、本発明の撮像システムは、上記焦点調節装置を有するカメラ本体と、当該カメラ本体に着脱可能なレンズユニットとからなる。
【手続補正６】
【補正対象書類名】明細書
【補正対象項目名】００２１
【補正方法】変更
【補正の内容】
【００２１】
更に、本発明のレンズユニットは、色収差に関する情報及び被写体の分光特性に関する情報に応じて、検出した焦点調節状態の情報を補正するカメラ本体に装着して使用され、レンズユニットのレンズ位置に対応する色収差に関する情報を記憶する記憶手段と、前記装着したカメラ本体に対して、前記レンズユニットの焦点調節状態を検出して合焦位置を取得する際の前記レンズユニットのレンズ位置に対応する前記色収差に関する情報を送信する送信手段とを有する。
また、本発明の別の構成によれば、焦点調節装置は、レンズユニットの焦点調節状態を検出する焦点検出手段と、前記レンズユニットの色収差に関する情報を取得する第１の取得手段と、被写体の分光特性に関する情報を取得する第２の取得手段と、前記第１及び第２の取得手段により取得した情報に応じて、前記焦点検出手段により検出した焦点調節状態の情報を補正する補正手段とを備え、前記色収差に関する情報は、前記レンズユニットのレンズ位置に応じて変化する情報である。
また、本発明の別の構成によれば、カメラ本体は、複数種類のレンズユニットを着脱可能であって、上記焦点調節装置を有する。
また、色収差に関する情報、および被写体の分光特性に関する情報に応じて、検出した焦点調節状態の情報を補正するカメラ本体に装着して使用される本発明の別のレンズユニットは、該レンズユニットのレンズ位置に応じて変化する色収差に関する情報を記憶する記憶手段と、前記装着したカメラ本体に対して、前記レンズユニットのレンズ位置に応じて変化する前記色収差に関する情報を送信する送信手段とを有する。